(57)【要約】      （修正有）【課題】コンパクトな管路構造の空気圧式マッサージ装置の圧縮空気供給装置を提供する。【解決手段】この装置は、それぞれ同数の空気供給口を備える第１及び第２空気供給口セット３４，３６を備えるハウジングと、エアポンプ４０と、第１空気供給口セットの各空気供給口に連通接続された複数の下流管５０ａ〜５０ｆを有する第１下流管セット５０、及び、第２空気供給口セットの各空気供給口に連通接続された複数の下流管５２ａ〜５２ｆを有する第２下流管セット５２と、エアポンプからの圧縮空気を受け入れて該下流管に供給するための上流管５６ａ〜５６ｆと、それぞれ、上流管の１つに連通された１つの空気入口６０ａ、及び、第１下流管セットの１つの下流管及び第２下流管セットの１つの下流管に連通された第１及び第２空気出口を有する分岐管６０とを有する。【選択図】図２
2011030983.tif 000002
【特許請求の範囲】
【請求項１】
それぞれ複数で同数の空気供給口を備える第１及び第２空気供給口セットを備えるハウジングと、
該ハウジング内に収納されるエアポンプと、
該ハウジング内に設けられて該第１空気供給口セットの各空気供給口に連通接続された複数の下流管を有する第１下流管セットと、
該ハウジング内に設けられて該第２空気供給口セットの各空気供給口に連通接続された複数の下流管を有する第２下流管セットと、
各空気供給口セットにおける空気供給口と同数の上流管であって、該エアポンプからの圧縮空気を受け入れて該下流管に供給するための上流管と、
該上流管と同数の分岐管であって、それぞれ、該上流管の１つに連通された１つの空気入口、及び、第１下流管セットの１つの下流管及び第２下流管セットの１つの下流管に連通された第１及び第２空気出口を有する分岐管と
を有する空気圧式マッサージ装置における圧縮空気供給装置。
【請求項２】
該ポンプと各上流管との間に電磁弁が設けられ、該電磁弁によりポンプから各上流管への圧縮空気の供給を制御するようにした請求項１に記載の圧縮空気供給装置。
【請求項３】
第１及び第２空気供給口セットが、それぞれの該空気供給口を水平方向で等間隔にして横並びにして有しており、且つ、該第１及び第２空気供給口セットが相互に水平方向で横並びにされており、
該第１及び第２下流管セットの下流管が、該第１及び第２空気供給口セットの空気供給口から該ハウジングの内方に水平方向で直線状に延び相互に並行にして横並びに配置され、且つ、該第１及び第２下流管セットにおける横並び方向で相互に対応する順番の下流管の長さが同じとされ、
各分岐管の第１及び第２空気出口が、該分岐管の一端及びその反対側端に設けられ、それぞれ、第１及び第２下流管セットにおける該相互に対応する順番の下流管の上流端開口に接続連通されて、各分岐管の該空気入口が該第１及び第２空気出口の間の位置に設けられている請求項１又は２に記載の圧縮空気供給装置。
【請求項４】
第１及び第２下流管セットの相互に対応する順番の下流管の上流端開口に接続連通された該分岐管が、その両端間にある該第１及び第２下流管セットの下流管の上方位置又は下方位置を通り、平面視で、該下流管に対して直交する方向に延びる直線部分と、該直線部分の両端から延びて第１及び第２下流管セットの対応する下流管の上流端開口に接続連通された第１及び第２空気出口に至る曲り部分とを有する請求項３に記載の圧縮空気供給装置。
【請求項５】
該第１及び第２空気供給口セットが、それぞれ、上下の２段にそれぞれ複数並べられた空気供給口を有し、
第１及び第２下流管セットの、それぞれ、第１及び第２空気供給口セットにおける該上段の相互に対応する順番の空気供給口に連通接続された下流管に連通接続された分岐管の該直線部分が、その両端間にある、該上段の空気供給口に連通接続された下流管の上方位置を通るようにされ、
第１及び第２下流管セットの、それぞれ、第１及び第２空気供給口セットにおける該下段の相互に対応する順番の空気供給口に連通接続された下流管に連通接続された分岐管の該直線部分が、その両端間にある、該下段の空気供給口に連通接続された下流管の下方位置を通るようにされ、
該上流管が、該上方位置及び下方位置を延びる分岐管の間に入るように配置され、該分岐管に連通接続されている請求項４に記載の圧縮空気供給装置。
【請求項６】
全ての分岐管が同じ寸法形状とされており、該分岐管の空気入口は、該直線部分の中央よりも一方の端部に近い位置とされ、該上段の空気供給口に連通接続された下流管に連通接続された分岐管は、その空気入口を下方に向けるように設定されて該上流管に連通接続され、該下段の空気供給口に連通接続された下流管に連通接続された分岐管は、その空気入口を上方に向けるように設定され、且つ、第１及び第２空気出口の位置が、該上段の空気供給口に連通接続された下流管に連通接続された分岐管の第１及び第２空気出口と左右逆向きにされている請求項５に記載の圧縮空気供給装置。
【請求項７】
身体の所要部位に当接される複数の空気圧膨張室を、それぞれ、各空気供給口セットの空気供給口の数と同数備える第１及び第２空気圧式膨張バッグと、
それぞれ該第１及び第２空気圧式膨張バッグの各空気圧膨張室から延びるホースからなる第１及び第２ホース束と、
該第１及び第２ホース束のそれぞれのホースを介して第１及び第２空気圧式膨張バッグの該空気圧膨張室に圧縮空気を供給するための請求項１乃至６のいずれかに記載の圧縮空気供給装置であって、該第１及び第２空気供給口セットの空気供給口が、それぞれ、第１及び第２ホース束のホースに連通接続されるようにした圧縮空気供給装置と、
を有する空気圧式マッサージ装置。
【発明の詳細な説明】
【技術分野】
【０００１】
本発明は、身体の所要位置に当接して設定される複数の空気圧膨張室を備え、該空気圧膨張室に対し圧縮空気を周期的に供給排出して該空気圧式膨張室を膨張収縮することにより、当該身体の所要位置にマッサージ効果を与える空気圧式膨張バッグを備えた空気圧式マッサージ装置に係り、特に、両腕や両脚等の周りに設定される２つの空気圧式膨張バッグを備えた空気圧式マッサージ装置に関する。
【背景技術】
【０００２】
両腕や両脚の周りに設定される２つの空気圧式膨張バッグを備えた空気圧式マッサージ装置は、種々開発されてきている（例えば、特許文献１及び２参照）。
【０００３】
特許文献１に開示されたマッサージ装置では、左腕及び左脚の周りに設定される一対の空気圧式膨張バッグと、右腕及び右脚の周りに設定される一対の空気圧式膨張バッグとの左右の空気圧式膨張バッグ対を備え、各対の空気圧式膨張バッグは、腕及び脚の基端側から末端側に向けてそれぞれ同数の空気圧膨張室を備える。このマッサージ装置は、該圧縮空気を供給するエアポンプを収納したハウジングを備えた装置本体を有しており、該ハウジングは左右の空気圧式膨張バッグ対の空気圧膨張室に圧縮空気を供給するための複数の空気供給口を有している。このマッサージ装置では、左右それぞれにおける脚の基端部に当接される空気圧膨張室と腕の基端部に当接される空気圧膨張室といった腕と脚の相互に対応する部位に当接される２つの空気圧膨張室、左右合わせて４つの空気圧膨張室を上記装置本体の空気供給口の１つに連通して同時に膨張収縮をするようにしている。具体的には、この１つの空気供給口にエアホースを連通接続し、これを左右２つのホースに分岐し、各分岐ホースから左又は右の腕及び脚の周りの空気圧膨張室に圧縮空気を供給するようになっている。
【０００４】
空気供給口に接続されるエアホースは、上記のように途中で左右に分岐されるものであるために、左右に分かれたホースが絡まったりして取り扱いがしにくいという欠点がある。また、左右の空気圧膨張室が１つの同じ空気供給口からの圧縮空気を受けるようになっているために、左右一方だけをマッサージするときにも両方の空気圧膨張室に圧縮空気が供給されることになり、無駄があり、また、扱いにくい面がある。
【０００５】
特許文献２のマッサージ装置では、装置本体内部でエアポンプからの圧縮空気を２つに分け、空気供給口は左右の空気圧式膨張バッグ用に別々に用意されている。この装置では、特許文献１における上記の如き問題はないが、各空気供給口の開閉を制御するための電磁弁を各空気供給口毎に設けなければならず、コストがかかると共にサイズが大きくなる。
【先行技術文献】
【特許文献】
【０００６】
【特許文献１】特許第４０５９９５６号
【特許文献１】特許第４２１４０１２号
【発明の概要】
【発明が解決しようとする課題】
【０００７】
本発明は上記の点に鑑み、左右のホースをそれぞれ別に延ばせるようにして取り扱いが容易になるようにすると共に、少ない電磁弁で圧縮空気の制御が可能なマッサージ装置及びその圧縮空気供給装置を提供することを目的としている。
【課題を解決するための手段】
【０００８】
本発明においては、
それぞれ複数で同数の空気供給口を備える第１及び第２空気供給口セットを備えるハウジングと、
該ハウジング内に収納されるエアポンプと、
該ハウジング内に設けられて該第１空気供給口セットの各空気供給口に連通接続された複数の下流管を有する第１下流管セットと、
該ハウジング内に設けられて該第２空気供給口セットの各空気供給口に連通接続された複数の下流管を有する第２下流管セットと、
各空気供給口セットにおける空気供給口と同数の上流管であって、該エアポンプからの圧縮空気を受け入れて該下流管に供給するための上流管と、
該上流管と同数の分岐管であって、それぞれ、該上流管の１つに連通された１つの空気入口、及び、第１下流管セットの１つの下流管及び第２下流管セットの１つの下流管に連通された第１及び第２空気出口を有する分岐管と
を有する、空気圧式マッサージ装置用の圧縮空気供給装置を提供する。
【０００９】
この圧縮空気供給装置においては、２つの個別の空気供給口セットが設けられるので、該空気供給口に接続されて圧縮空気を受け入れるホースからなるホース束を、２つ別個に用意して、必要に応じて、空気供給口セットに接続することができ、従って、前述の従来のマッサージ装置において、１つの空気供給口に対して接続される１つの接続部から分岐されて２つのホース束にされていた場合に比べて、圧縮空気の使用に無駄が無く、また、ホース束の扱いが容易となる。尚、本明細書において「上下」「左右」「水平」等の位置や向きに関する用語を使用しているが、これらは部品相互間の相対的位置関係を表すためのものであり、それら部品の絶対的位置関係をいうものではない。
【００１０】
具体的には、該ポンプと各上流管との間に電磁弁が設けられ、該電磁弁によりポンプから各上流管への圧縮空気の供給を制御するようにすることができる。このようにすることにより、前述の従来のマッサージ装置のように、空気供給口に応じた数の電磁弁を用意する必要が無く、コストの低減を図ることができる。
【００１１】
より具体的には、
第１及び第２空気供給口セットが、それぞれの該空気供給口を水平方向で等間隔にして横並べにして有しており、且つ、該第１及び第２供給口セットが相互に水平方向で横並べにされており、
該第１及び第２下流管セットの下流管が、該第１及び第２空気供給口セットの空気供給口から該ハウジングの内方に水平方向で直線状に延び相互に並行にして横並べに配置され、且つ、該第１及び第２下流管セットにおける横並べ方向で相互に対応する順番の下流管の長さが同じとされ、
各分岐管の第１及び第２空気出口が、該分岐管の一端及びその反対側端に設けられ、それぞれ、第１及び第２下流管セットにおける該相互に対応する順番の下流管の上流端開口に接続連通されて、各分岐管の該空気入口が該第１及び第２空気出口の間の位置に設けられるようにすることができる。
【００１２】
下流管を上記のような配置及び長さにし、分岐管を配置するようにすることにより、管路構造をコンパクトなものとすることが可能となる。
【００１３】
具体的には、第１及び第２下流管セットの相互に対応する順番の下流管の上流端開口に接続連通された該分岐管が、その両端間にある該第１及び第２下流管セットの下流管の上方位置又は下方位置を通り、平面視で、該下流管に対して直交する方向に延びる直線部分と、該直線部分の両端から延びて第１及び第２下流管セットの対応する下流管の上流端開口に接続連通された第１及び第２空気出口に至る曲り部分とを有するようにすることができる。
【００１４】
より具体的な例としては、
該第１及び第２空気供給口セットが、それぞれ、上下の２段にそれぞれ複数並べられた空気供給口を有し、
第１及び第２下流管セットの、それぞれ、第１及び第２空気供給口セットにおける該上段の相互に対応する順番の空気供給口に連通接続された下流管に連通接続された分岐管の該直線部分が、その両端間にある、該上段の空気供給口に連通接続された下流管の上方位置を通るようにされ、
第１及び第２下流管セットの、それぞれ、第１及び第２空気供給口セットにおける該下段の相互に対応する順番の空気供給口に連通接続された下流管に連通接続された分岐管の該直線部分が、その両端間にある、該下段の空気供給口に連通接続された下流管の下方位置を通るようにされ、
該上流管が、該上方位置及び下方位置を延びる分岐管の間に入るように配置され、該分岐管に連通接続されるようにすることができる。
【００１５】
以上のようにすることにより管路構成をよりコンパクトなものとすることができる。
【００１６】
また、全ての分岐管が同じ寸法形状とされており、該分岐管の空気入口は、該直線部分の中央よりも一方の端部に近い位置とされ、該上段の空気供給口に連通接続された下流管に連通接続された分岐管は、その空気入口を下方に向けるように設定されて該上流管に連通接続され、該下段の空気供給口に連通接続された下流管に連通接続された分岐管は、その空気入口を上方に向けるように設定され、且つ、第１及び第２空気出口の位置が、該上段の空気供給口に連通接続された下流管に連通接続された分岐管の第１及び第２空気出口と左右逆向きにされるようにすることができる。
【００１７】
管路構成をコンパクトにすると共に、同じ分岐管を使えるようにすることによりコストを抑えることを可能とする。
【００１８】
本発明はまた、
身体の所要部位に当接される複数の空気圧膨張室を、それぞれ、各空気供給口セットの空気供給口の数と同数備える第１及び第２空気圧式膨張バッグと、
それぞれ該第１及び第２空気圧式膨張バッグの各空気圧膨張室から延びるホースからなる第１及び第２ホース束と、
該第１及び第２ホース束のそれぞれのホースを介して第１及び第２空気圧式膨張バッグの該空気圧膨張室に圧縮空気を供給するための請求項１乃至６のいずれかに記載の圧縮空気供給装置であって、該第１及び第２空気供給口セットの空気供給口が、それぞれ、第１及び第２ホース束のホースに連通接続されるようにした圧縮空気供給装置と、
を有する空気圧式マッサージ装置を提供する。
【図面の簡単な説明】
【００１９】
【図１】本発明に係る空気圧式マッサージ装置の概要図である。
【図２】図１の空気圧式マッサージ装置における圧縮空気供給装置を示す斜視図で、ハウジングの上半部分を除いて示している。
【図３】組立途中における図２の圧縮空気供給装置の斜視図である。
【図４】図２の圧縮空気供給装置における空気供給口セットの断面平面図である。
【図５】図２の圧縮空気供給装置における管路で使用される分岐管の斜視図である。
【図６】図２の圧縮空気供給装置における管路の平面図である。
【図７】同管路の正面図である。
【図８】同管路の側面図である。
【発明を実施するための形態】
【００２０】
図１に示す本発明に係るマッサージ装置１０は、使用者の左右の脚につけるようにしたブーツ型の空気圧式膨張バッグ１４，１６をと、該空気圧式膨張バッグ１４，１６に対して圧縮空気を供給するための圧縮空気供給装置１３とを備える。
【００２１】
空気圧式膨張バッグ１４，１６は、それぞれ、供給される圧縮空気により膨張される６つの空気圧膨張室１４ａ、１４ｂ、１４ｃ、１４ｄ、１４ｅ、１４ｆ；１６ａ、１６ｂ、１６ｃ、１６ｄ、１６ｅ、１６ｆを備えている。
【００２２】
第１空気圧式膨張バッグ１４の各空気圧膨張室からはホース１８ａ、１８ｂ、１８ｃ、１８ｄ、１８ｅ、１８ｆが延びており、それらの先端部分がまとめられて第１のホース束１８とされており、また、第２空気圧式膨張バッグ１６の各空気圧膨張室からはホース２０ａ、２０ｂ、２０ｃ、２０ｄ、２０ｅ、２０ｆが延びており、それらの先端部分がまとめられて第２のホース束２０とされている。
【００２３】
第１及び第２ホース束の先端は、それぞれ、各ホースの先端に取り付けられたプラグ（雄型管継手）２４ａ，２４ｂ，２４ｃ，２４ｄ，２４ｅ、２４ｆ；２６ａ，２６ｂ，２６ｃ，２６ｄ，２６ｅ，２６ｆが集合されて一体にされた第１及び第２集合プラグ２４，２６とされている。図示の例では、各集合プラグ２４，２６のプラグは、上下２段に並べられており、各段に３つのプラグが等間隔で水平に間隔をあけて横並びに設定されている。
【００２４】
圧縮空気供給装置１３は、それぞれ第１及び第２集合プラグ２４，２６が嵌合される集合ソケットの形式とされた第１及び第２空気供給口セット３４，３６を備えるハウジング３８を有する。第１及び第２空気供給口セット３４，３６は、水平方向で相互に横並びにされており、第１及び第２集合プラグ２４，２６のそれぞれ上下２段にされたプラグ２４ａ，２４ｂ，２４ｃ，２４ｄ，２４ｅ、２４ｆ；２６ａ，２６ｂ，２６ｃ，２６ｄ，２６ｅ，２６ｆが挿入連結されるソケットとしての空気供給口３４ａ，３４ｂ，３４ｃ，３４ｄ，３４ｅ、３４ｆ；３６ａ，３６ｂ，３６ｃ，３６ｄ，３６ｅ、３６ｆを備えている。（図４及び図７参照）
【００２５】
図４に示すように、第１空気供給口セット３４の空気供給口３４ａ，３４ｂ，３４ｃ，３４ｄ，３４ｅ、３４ｆには、バネ付勢された開閉バルブ３４ｇが設けられており、第１集合プラグ２４のプラグ２４ａ，２４ｂ，２４ｃ，２４ｄ，２４ｅ、２４ｆが挿入されることにより該開閉バブル３４をバネ付勢力に抗して押し込まれ、当該空気供給口が開かれるようになっている。この開閉バルブ３４ｇは空気供給口の軸線方向で変位可能とされたステム状部材に球形とされたシリコン製弁体３４ｈを有しており、このシリコン製弁体３４を、弁座部分の外側から内側に押し込むだけで、図４に示す状態に設定することができる。第２空気供給口セット３６の空気供給口３６ａ〜３６ｆにも同様な開閉弁が設けられている。
【００２６】
ハウジング３８内には、図２及び図３に示すように、エアポンプ４０と、該エアポンプからの圧縮空気を受け入れるエアタンク４２と、エアタンクに連通されたマニホールド４３と、該マニホールドに一列に配列された各分岐路に取り付けられた電磁弁４４ａ，４４ｂ，４４ｃ，４４ｄ，４４ｅ、４４ｆと、各電磁弁を介してマニホールドと第１及び第２空気供給口セット３４，３６の空気供給口３４ａ，３４ｂ，３４ｃ，３４ｄ，３４ｅ、３４ｆ；３６ａ，３６ｂ，３６ｃ，３６ｄ，３６ｅ、３６ｆとを連通する管路４６とを有する。各電磁弁は、エアポンプ４０からの圧縮空気を管路４６に通す開位置と、管路を大気に連通する排気位置との間で作動可能である。電磁弁が開位置にされることにより圧縮空気が、該電磁弁と関連した空圧式膨張バッグの空気圧式膨張室に供給されて膨張され、解放位置にされることにより同空気圧式膨張室の圧縮空気が大気には排出されて該空圧式膨張室を収縮するようになっている。このような電磁弁の作用・構成は当業者には広く知られているので詳細は省略する。
【００２７】
管路４６は、図２乃至図４及び図６乃至図８に示すように、第１空気供給口セット３４の各空気供給口３４ａ，３４ｂ，３４ｃ，３４ｄ，３４ｅに接続連通された複数の下流管５０ａ、５０ｂ、５０ｃ、５０ｄ、５０ｅ、５０ｆ（図４）を有する第１下流管セット５０と、第２空気供給口セット３６の各空気供給口３６ａ，３６ｂ，３６ｃ，３６ｄ，３６ｅ、３６ｆに接続連通された複数の下流管５２ａ、５２ｂ、５２ｃ、５２ｄ、５２ｅ、５２ｆを有する第２下流管セット５２と、各空気供給口セット５０，５２における空気供給口と同数の（図示の例では６本の）上流管５６ａ、５６ｂ、５６ｃ、５６ｄ、５６ｅ、５６ｆであって、電磁弁を介して供給されるエアポンプ４０からの圧縮空気を受け入れて下流管に供給するための上流管５６ａ、５６ｂ、５６ｃ、５６ｄ、５６ｅ、５６ｆと、該上流管と同数の分岐管６０であって、それぞれ、上流管の１つに連通された１つの空気入口６０ａ、及び、第１下流管セット５０の１つの下流管及び第２下流管セット５２の１つの下流管に連通された第１及び第２空気出口６０ｂ、６０ｃを有する分岐管とを有する。
【００２８】
具体的には、第１及び第２下流管セット５０，５２の下流管５０ａ、５０ｂ、５０ｃ、５０ｄ、５０ｅ、５０ｆ；５２ａ、５２ｂ、５２ｃ、５２ｄ、５２ｅ、５２ｆは、第１及び第２供給口セット３４，３６の空気供給口からハウジング３８の内方に水平方向で直線状に延び、それぞれ上下２段とされて、各段において相互に並行にして横並びに配置されている。第１下流管セット５０における上段において、図３で見て右から左に順次並ぶ下流管５０ａ、５０ｂ、５０ｃの長さが順次長くなるようにされており、それに対応して、第２下流管セット５２における上段おいて、右から左に順次並ぶ下流管５２ａ、５２ｂ、５２ｃの長さが、下流管５０ａ、５０ｂ、５０ｃとそれぞれ同じ長さとされて順次長くなるようにされている。
【００２９】
第１及び第２下流管セット５０，５２の下段の下流管５０ｄ、５０ｅ、５０ｆ；５２ｄ、５２ｅ、５２ｆは、上段の下流管と同様に、第１及び第２下流管セット５０，５２間で相互に対応するものが同じ長さとされているが、下段では、図３で見て、左から右にいくに従って順次長くなるようにされている。
【００３０】
分岐管６０は、それぞれ、下流管５０ａと下流管５２ａ、下流管５０ｂと下流管５２ｂ、下流管５０ｃと下流管５２ｃ、下流管５０ｄと下流管５２ｄ、下流管５０ｅと下流管５２ｅ、下流管５０ｆと下流管５２ｆとを連通接続するようにされている。第１及び第２下流管セットの上段の相互に対応する下流管を接続する各分岐管６０は、その両端間にある第１及び第２下流管セットの上段の下流管の上をそれらと接するよう通り、また、下段の相互に対応する下流管を接続する分岐管６０は、その両端間にある第１及び第２下流管セットの下段の下流管の下をそれらと接するように通り、平面視で、下流管に対して直交するように延びる直線部分６０ｄと、直線部分の両端から延びて、当該分岐管が接続している第１及び第２下流管セットの対応する下流管の上流端開口に接続連通された第１及び第２空気出口に至る曲り部分６０ｅ、６０ｆとを有する。従って、第１及び第２下流管セットの上段の下流管を接続している分岐管における曲り部分６０ｅ、６０ｆは直線部分の両端から下方に曲げられ、第１及び第２下流管セットの下段の下流管を接続している分岐管における曲り部分６０ｅ、６０ｆは直線部分６０ｄの両端から下方に曲げられている。
【００３１】
図５は、図２に示す空気供給装置１３内での下流管５０ａと下流管５２ａ、下流管５０ｂと下流管５２ｂ、下流管５０ｃと下流管５２ｃを接続する分岐管６０を、その取付け向きで示している。すなわち、その両端の曲り部分６０ｅ、６０ｆは直線部分６０ｄから下方に曲げられており、空気出口６０ａは、一方の曲り部分６０ｅに近づけて設けられている。空気出口６０ａをこのように配置することにより、それに連通接続される上流管５６ａ、５６ｂ、５６ｃを、第１及び第２空気供給口セット間における第１空気供給口側に集めることを可能とする。図３は、そのようにされた上流管５６ａ、５６ｂ、５６ｃの下流端開口５６ａ´、５６ｂ´、５６ｃ´が上向きにされて、分岐管６０の下向きにされた空気入口６０ａに接続可能とされた状態が示されている。
【００３２】
これに対して、第１及び第２下流管セットの下段の下流管を接続する分岐管６０は、その向きを図５のものとは上下左右を反対にされる。そのようにすると、空気入口６０ａは上向きで右寄りに配置されることになる。このようにすることにより、上流管５６ｄ，５６ｅ、５６ｆを、上流管５６ａ、５６ｂ、５６ｃの右側に集めることができ、それら上流管５６ａ、５６ｂ、５６ｃの下向きにした下流端開口を、上向きにされた空気入口６０に連通接続することができるようにしている。
【００３３】
上流管は、第１及び第２下流管セットの上段の下流管を接続する分岐管６０の直線部分と、下段の下流管を接続する分岐管６０の直線部分との間に入るように延びて、これら分岐管に接続されている。
【００３４】
以上、本発明に係るマッサージ装置の実施形態につき説明したが、本発明はこれに限定されるものではない。例えば、本発明に係るマッサージ装置のメンテナンスを、ユーザの記憶に頼ることなく的確に行えるようにするために、図示はしていないが、故障が一番発生しやすい電磁弁の使用頻度や使用時間の記憶、また、ホース抜け、ホース折れ、センサチェックエラー、センサ故障などのエラー発生に関する情報の記憶ができるようにしておくことが好ましい。
【符号の説明】
【００３５】
マッサージ装置１０；圧縮空気供給装置１３；空気圧式膨張バッグ１４，１６；空気圧膨張室１４ａ、１４ｂ、１４ｃ、１４ｄ、１４ｅ、１４ｆ；１６ａ、１６ｂ、１６ｃ、１６ｄ、１６ｅ、１６ｆ；ホース１８ａ、１８ｂ、１８ｃ、１８ｄ、１８ｅ、１８ｆ；第１のホース束１８；ホース２０ａ、２０ｂ、２０ｃ、２０ｄ、２０ｅ、２０ｆ；第２のホース束２０；プラグ（雄型管継手）２４ａ，２４ｂ，２４ｃ，２４ｄ，２４ｅ、２４ｆ；２６ａ，２６ｂ，２６ｃ，２６ｄ，２６ｅ，２６ｆ；第１及び第２集合プラグ２４，２６；第１及び第２空気供給口セット３４，３６；空気供給口３４ａ，３４ｂ，３４ｃ，３４ｄ，３４ｅ、３４ｆ；３６ａ，３６ｂ，３６ｃ，３６ｄ，３６ｅ、３６ｆ；開閉バルブ３４ｇ；シリコン製弁体３４ｈ；ハウジング３８；エアポンプ４０；エアタンク４２；電磁弁４４ａ，４４ｂ，４４ｃ，４４ｄ，４４ｅ、４４ｆ；管路４６；下流管５０ａ、５０ｂ、５０ｃ、５０ｄ、５０ｅ、５０ｆ；第１下流管セット５０；下流管５２ａ、５２ｂ、５２ｃ、５２ｄ、５２ｅ、５２ｆ：第２下流管セット５２；上流管５６ａ、５６ｂ、５６ｃ、５６ｄ、５６ｅ、５６ｆ；下流端開口５６ａ´、５６ｂ´、５６ｃ´；空気入口６０ａ；第１及び第２空気出口６０ｂ、６０ｃ；直線部分６０ｄ；曲り部分６０ｅ、６０ｆ
【図１】
2011030983.tif 000003
【図２】
2011030983.tif 000004
【図３】
2011030983.tif 000005
【図４】
2011030983.tif 000006
【図５】
2011030983.tif 000007
【図６】
2011030983.tif 000008
【図７】
2011030983.tif 000009
【図８】
2011030983.tif 000010